(57)【要約】【課題】  化粧等の行為をするためにサイドミラー部を開扉してサイドミラー部との距離を接近させたときでも、照度が落ちることのないミラーキャビネットを提供することにある。【解決手段】  正面側を照射する照明器具６（１６）と、キャビネット本体１の正面側略中央に設けられたセンターミラー部２と、センターミラー部２の側方に形成され正面側に開口する内部収納スペース１０と、左右側端部の一方が内部収納スペース１０の開口縁近傍に回動自在に軸支されるフレーム部５（１５）と、フレーム部５（１５）に対して回動自在に軸支されるサイドミラー部４（１４）とを有するミラーキャビネットであって、照明器具６（１６）はフレーム部５（１５）とサイドミラー部４（１４）との間に介在してなるものである。【選択図】  図１
2005304946.tif 000002
【特許請求の範囲】
【請求項１】
正面側を照射する照明器具と、キャビネット本体の正面側略中央に設けられたセンターミラー部と、前記センターミラー部の側方に形成され正面側に開口する内部収納スペースと、左右側端部の一方が前記内部収納スペースの開口縁近傍に回動自在に軸支されるフレーム部と、前記フレーム部に対して回動自在に軸支されるサイドミラー部とを有するミラーキャビネットであって、
前記照明器具は、前記フレーム部と前記サイドミラー部との間に介在してなるものであることを特徴とするミラーキャビネット。
【請求項２】
前記サイドミラー部の鏡面を有する前面と前記照明器具の当該前面に沿う面とは、略面一となるように形成されていることを特徴とする請求項１に記載のミラーキャビネット。
【発明の詳細な説明】
【技術分野】
【０００１】
本発明は、ミラーキャビネットに関するものであり、より詳細には、洗面化粧台やシステムキッチン等に使用されるミラーキャビネットに関するものである。
【背景技術】
【０００２】
従来のミラーキャビネットとしては、図５に示すような、キャビネット３０の上に、洗面器３１ａ，吐水ヘッド３１ｂ及び湯水混合栓３１ｃが取付けられたカウンター３１が設置され、このカウンター３１の奥側にはミラーキャビネット本体３２が立ち上げられているものが知られている。このミラーキャビネット本体３２はカウンター３１に連結する背板を備えてその前面にセンターミラー部３７を固定すると共に、下片を除く鏡３７の周囲に照明ボックス３３，３４，３５が設けられ、また、右側の下部には操作パネル３６が組み込まれている。これらの照明ボックス３３〜３５には蛍光灯や白熱灯がそれぞれ設けられ、また、各照明ボックス３３〜３５の前面には着脱自在なカバー３３ａ〜３５ａが取り付けられている。照明ボックス３４，３５のそれぞれの外側には前面にサイドミラー部３２ｂ、３２ｃを取り付けたサイドキャビネットが設けられている。さらに、上の照明ボックス３３には１本の蛍光灯が組み込まれ、左右の照明ボックス３４，３５にはそれぞれ１本の蛍光灯と２個の白熱灯が設置されて、上部及び左右から前方を照射して鏡に映る姿をより明瞭に確認することができる。
【０００３】
しかし、上記のような従来のミラーキャビネットでは、各照明ボックス３３〜３５がミラーキャビネット本体３２に取付けられているため、化粧等の行為をするためにサイドミラー部３２ｂを開扉してサイドミラー部３２ｂとの距離を接近させたときに、サイドミラー部３２ｂと照明ボックス３３〜３５との距離が離れてしまい、照度が低下して、使い勝手が悪くなるという問題を有していた（特許文献１）。
【特許文献１】特開平６−２８９１２号公報
【発明の開示】
【発明が解決しようとする課題】
【０００４】
本発明は、このような点に鑑みてなされたものであり、その目的とするところは、化粧等の行為をするためにサイドミラー部を開扉してサイドミラー部との距離を接近させたときでも、照度が落ちることのないミラーキャビネットを提供することである。
【課題を解決するための手段】
【０００５】
上記した課題を解決するために、本発明の請求項１に係るミラーキャビネットは、正面側を照射する照明器具と、キャビネット本体の正面側略中央に設けられたセンターミラー部と、前記センターミラー部の側方に形成され正面側に開口する内部収納スペースと、左右側端部の一方が前記内部収納スペースの開口縁近傍に回動自在に軸支されるフレーム部と、前記フレーム部に対して回動自在に軸支されるサイドミラー部とを有するミラーキャビネットであって、前記照明器具は、前記フレーム部と前記サイドミラー部との間に介在してなるものであることを特徴とする。
【０００６】
本発明の請求項２に係るミラーキャビネットは、前記サイドミラー部の鏡面を有する前面と前記照明器具の当該前面に沿う面とが、略面一となるように形成されていることを特徴とする。
【発明の効果】
【０００７】
本発明の請求項１に係るミラーキャビネットによると、前記照明器具は、左右側端部の一方が内部収納スペースの開口縁近傍に回動自在に軸支されるフレーム部と、フレーム部に対して回動自在に軸支されるサイドミラー部との間に介在してなるものであるので、化粧等の行為をするためにフレーム部及びサイドミラー部をキャビネット本体から引き出して開扉した際に、照明器具も連動して動き、使用者と照明器具の距離がより接近する。そのため、サイドミラー部を開扉しても、照度が極端に落ちることがなく、サイドミラー部に映る姿をより明瞭に確認することができる。
【０００８】
本発明の請求項２に係るミラーキャビネットによると、請求項１に記載の効果に加えて、前記サイドミラー部の鏡面を有する前面と前記照明器具の当該前面に沿う面とが、略面一となるように形成されているので、前記照明器具の面高さの方が低い場合のように照明器具の照射効率が低下することが防止でき、また、前記照明器具の面高さの方が高い場合のように、照明器具が突設されて使用時に障害となることを防止することができる。
【発明を実施するための最良の形態】
【０００９】
（実施形態１）
本発明の第１の実施形態を図１及び図２に基づいて説明する。図１及び図２において、１はキャビネット本体、１ａは枠体、１ｂは箱体、１ｃはカウンタボール、１ｄは操作パネル、１ｅは背板、２はセンターミラー部、４、１４はサイドミラー部、５、１５はフレーム部、５ａは開口、５ｂは軸支部、６、１６は照明器具、６ａは照明ボックス、６ｂは透光パネル、６ｃは光源、７は収納棚、８は電源コード、１０は内部収納スペース、Ｓは洗面台である。
【００１０】
図１は、本実施形態におけるミラーキャビネットの概略を示す斜視図である。同図に示すように、洗面台Ｓは、腰の高さ程に形成された箱体１ｂと箱体１ｂの上面に固定されるとともに、洗面ボールや湯水混合栓等が設けられたカウンタボール１ｃとからなる。また、キャビネット本体１は、洗面台Ｓの上方に固定設置され、箱体１ｂの背後から上方に一体的に延出して形成される背板１ｅと背板１ｅの上方から前方に突出する枠体１ａとから構成される。
【００１１】
枠体１ａは、後方側は背板１ｅで閉塞され、前面側が略矩形状に開口して中空スペースが形成され、この中空スペースは左右方向に３分割されて、中央のスペースを閉塞するように略矩形のセンターミラー部２が枠体１ａの前面側中央部に開閉自在に取付けられている。また、左右両端のスペースは、後述するフレーム部５等を収納する為の内部収納スペース１０が形成されている。
【００１２】
次に、フレーム部５、１５及びサイドミラー部４、１４について説明する。なお、正面視左側のフレーム部５及びサイドミラー部４と、正面視右側のフレーム部１５及びサイドミラー部１４は、センターミラー部２を中心として左右対称に構成されており、本実施形態においては左側のフレーム部５及びサイドミラー部４についてのみ説明し、右側のフレーム部１５及びサイドミラー部１４については説明を省略する。
【００１３】
フレーム部５は、略矩形の貫通する開口５ａが形成された金属もしくはプラスチックからなる略矩形のフレーム部材であり、開口５ａ内の空間には、化粧品や洗面具等収納するための収納棚７が設置されている。このフレーム部５の外周形状は、内部収納スペース１０の開口の形状より小さくかつ略相似形に形成されており、また、フレーム部５の厚みは、内部収納スペース１０の開口深さよりも小さく形成されて、内部収納スペース１０の開口にフレーム部５が収容されるようになっている。
【００１４】
また、フレーム部５の左右端の一方は、蝶番等によって内部収納スペース１０の正面視左側の端部に回動自在に軸支されている。すなわち、軸支される回転軸を中心にフレーム部５を回転動作させることにより、フレーム部５は、内部収納スペース１０に対して、取出し及び収容自在に形成されている。さらに、フレーム部５の左右端の他方は、上部及び下部から軸支部５ｂが延設されている。
【００１５】
照明器具６は、内部に蛍光灯や白熱灯、ＬＥＤといった公知の光源６ｃが収納設置される中空略直方体の箱体部材である照明ボックス６ａと光源６ｃの光を外部に照射する為の透光パネル６ｂとから構成される。この照明ボックス６ａの高さはフレーム部５の高さよりもやや低く形成され、フレーム部５の軸支部５ｂにより上下面が軸支されて、フレーム部５に対して回動自在に形成されている。照明ボックス６ａ内に収容設置される光源６ｃに外部から電力を供給する為に、電源コード８の一端が電気的に接続され、他端は外方に延出し、フレーム部５のフレーム内及び枠体１ａを通って、外部電源と電気的に接続している操作パネル１ｄ内の照明スイッチ部に接続され、この照明スイッチ部をオンオフすることにより、光源６ｃの点灯および消灯を行う。
【００１６】
サイドミラー部４は、略矩形の平板状部材であって、プラスチック製の補強材の一方の主面に銀蒸着やその他公知の手段により鏡面層を形成し、さらにその上面にガラス層を形成したものである。このサイドミラー部４は、照明器具６の透光パネル６ｂと隣接するように固定され、照明器具６とサイドミラー部４は、フレーム部５に対して一体に回転し、フレーム部５の一方の主面を閉塞及び開放可能に形成されている。なお、収納棚７に化粧品や洗面具等を収納する際には、これら収納物の落下を防止する為に、一方の主面をサイドミラー部４で閉塞した状態でおこなう。
【００１７】
サイドミラー部４の鏡面を有する前面と照明器具６の透光パネル６ｂのサイドミラー部４の前面に沿う面とは、略略面一となるように形成されている。このようにすることにより、照明器具６の面高さの方が低い場合のように照明器具６の照射効率が低下することが防止でき、また、照明器具６の面高さの方が高い場合のように、照明器具６が突設されて使用時に障害となることを防止することができる。
【００１８】
以上のように、フレーム部５とサイドミラー部４とは、照明器具６を介して開閉可能に連結されることにより、照明器具６は、フレーム部５とサイドミラー部４との間に介在しており、このように構成されるミラーキャビネットの特徴について以下に述べる。
【００１９】
図２は、本実施形態におけるサイドミラー部４、フレーム部５及び照明器具６の動作の概略を示す斜視図であり、（ａ）は閉扉時、（ｂ）は開扉時、（ｃ）は全開時を示している。
【００２０】
同図（ａ）に示すように、サイドミラー部４が閉扉状態で、フレーム部５は内部収納スペース１０内に収容されている。この状態で、操作パネル１ｄ内の照明スイッチ部をオンにして照明器具６、１６を点灯させると、前方に対して光が照射され、センターミラー部２やサイドミラー部４、１４に写る使用者の姿がより明瞭になる。
【００２１】
次に化粧その他で、使用者がミラーのより近くで自己の姿を映したい場合には、同図（ｂ）に示すように、サイドミラー部４及びフレーム部５を枠体１ａから引き出して開扉する。その際、照明器具６はサイドミラー部４と一体に形成されているため、サイドミラー部４と連動して前方に移動して、使用者と照明器具６の距離が接近する。そのため、サイドミラー部４を開扉しても照度が極端に落ちることがなく、サイドミラー部４に映る姿をより明瞭に確認することができる。なお、このサイドミラー部４及びフレーム部５を最大限引き出すと、同図（ｃ）に示すように、枠体１ａの幅方向に対して、サイドミラー部４及びフレーム部５が略直角に突出するようになる。
【００２２】
なお、本実施形態においては、フレーム部５とサイドミラー部４とは、照明器具６を介して回動可能に連結されるものであったが、これに限定されるものではなく、例えば、サイドミラー部４がフレーム部５に回動可能に連結されているもの照明器具６は、フレーム部５とサイドミラー部４との間に介在してなるものであればよい。
【００２３】
（実施形態２）
本発明の第２の実施形態を図３及び図４に基づいて説明する。図３及び図４において、１ａは枠体、２はセンターミラー部、４はサイドミラー部、５はフレーム部、５ａは開口、６は照明器具、６ｃは光源、６ｄは取付け板部、６ｅは透光パネル、７は収納棚、１０は内部収納スペースである。本実施形態に係る発明は、フレーム部５と照明器具６が一体に形成されていることを特徴とし、それ以外は第１の実施形態と同様であるため、共通するものについては同一の図番を付して説明を省略する。
【００２４】
図３は、本実施形態におけるサイドミラー部４、フレーム部５及び照明器具６の動作の概略を示す斜視図であり、（ａ）は閉扉時、（ｂ）は開扉時、（ｃ）は全開時を示している。
【００２５】
なお、本実施形態においても、第１の実施形態の場合と同様に、正面視左側のフレーム部５及びサイドミラー部４と、正面視右側のフレーム部及びサイドミラー部は、センターミラー部２を中心として対称に構成されており、本実施形態においては左側のフレーム部５、サイドミラー部４及び照明器具６についてのみ説明し、右側のフレーム部及びサイドミラー部については説明を省略する。
【００２６】
同図に示すように、フレーム部５の左右端の一方は、蝶番等によって内部収納スペース１０の正面視左側の端部に、回動自在に軸支されている。すなわち、軸支される回転軸を中心にフレーム部５を回転動作させることにより、フレーム部５は、内部収納スペース１０に対して、取出し及び収容自在に形成されている。
【００２７】
照明器具６は、表面に蛍光灯や白熱灯、ＬＥＤといった公知の光源６ｃが設置される略矩形平板部材である取付け板部６ｄと、透明部材もしくは半透明部材からなる断面Ｕ字状の透光パネル６ｅとから構成される。
【００２８】
取付け板部６ｄは、フレーム部５の左右方向の側面のうち枠体１に軸支されていない側に設置され、透光パネル６ｅは光源６ｃを三方から覆うように、取付け板部６ｄに設置固定される。このような構成にすることにより、フレーム部５と照明器具６は枠体１ａに対して一体に回転する。
【００２９】
光源６ｃには、外部から電力を供給する為に、電源コード（図示せず）の一端が電気的に接続され、他端は外方に延出し、フレーム部５のフレーム内及び枠体１ａを通って、外部電源と電気的に接続している操作パネル１ｄ内の照明スイッチ部に接続され、この照明スイッチ部をオンオフすることにより、光源６ｃの点灯および消灯を行う。
【００３０】
サイドミラー部４の材質や構成は第１の実施形態のものと同様であり、左右端部のうち照明器具６が設置される側に、サイドミラー部４の左右端の一方が回動自在に軸支され、フレーム部５の一方の主面を閉塞及び開放可能に形成されている。
【００３１】
同図（ａ）に示すように、サイドミラー部４が閉扉状態で、フレーム部５は内部収納スペース１０内に収容されている。この状態で、操作パネル１ｄ内の照明スイッチ部をオンにして照明器具６を点灯させると、前方に対して光が照射され、センターミラー部２やサイドミラー４に写る使用者の姿がより明瞭になる。
【００３２】
次に化粧その他で、使用者がミラーのより近くで自己の姿を映したい場合には、同図（ｂ）に示すように、サイドミラー部４及びフレーム部５を枠体１ａから引き出して開扉する。その際、照明器具６はフレーム部５と一体に形成されているため、フレーム部５と連動して前方に移動して、使用者と照明器具６の距離が接近する。そのため、フレーム部５及びサイドミラー部４を開扉しても照度が極端に落ちることがなく、サイドミラー部４に映る姿をより明瞭に確認することができる。なお、このサイドミラー部４及びフレーム部５を最大限引き出すと、同図（ｃ）に示すように、枠体１ａの幅方向に対して、サイドミラー部４及びフレーム部５が略直角に突出するようになる。
【００３３】
本実施形態の場合は、透光パネル６ｅが光源６ｃを三方から包囲するものであるので、同図（ｂ）に示すように光源６ｃからの光が三方に照射されて、光を効率よく活用できるので、より少ない電力で所望の照度を得ることができる。
【００３４】
図４は、サイドミラー部とフレーム部が接合されて、枠体１ａから開扉いている状態を示す斜視図である。
【００３５】
同図に示すように、本実施形態の場合は、フレーム部５に収納物を出し入れするために、サイドミラー部４とフレーム部５が接合された状態でフレーム部５を開扉する場合でも、照明が三方向に照射されて、収納物の出し入れ作業がよりしやすくなる。
【図面の簡単な説明】
【００３６】
【図１】第１の実施形態におけるミラーキャビネットの概略を示す斜視図である。
【図２】第１の実施形態におけるサイドミラー部、フレーム部及び照明器具の動作の概略を示す斜視図であり、（ａ）は閉扉時、（ｂ）は開扉時、（ｃ）は全開時を示している。
【図３】第２の実施形態におけるサイドミラー部、フレーム部及び照明器具の動作の概略を示す斜視図であり、（ａ）は閉扉時、（ｂ）は開扉時、（ｃ）は全開時を示している。
【図４】サイドミラー部とフレーム部が接合されて、枠体から開扉いている状態を示す斜視図である。
【図５】従来例を示す正面図である。
【符号の説明】
【００３７】
１    キャビネット本体
２    センターミラー部
４、１４  サイドミラー部
５、１５  フレーム部
６、１６  照明器具
【図１】
2005304946.tif 000003
【図２】
2005304946.tif 000004
【図３】
2005304946.tif 000005
【図４】
2005304946.tif 000006
【図５】
2005304946.tif 000007